(57)【要約】【課題】処理能力を低下することなくコストを抑制して画像データを書き込むことができる、画像保存システムおよび画像保存方法を提供する。【解決手段】画像保存システム１０はスキャナ装置１２とハードディスクドライブ１８とを含む。ハードディスクドライブ１８の高速エリア３２と低速エリア３４とに関するエリア情報をメモリ２２に記憶する。スキャナ装置１２によるスキャニングが行われていないときに、高速エリア３２に書き込まれた画像データをメモリ２２に記憶されたエリア情報に基づいて低速エリア３４に転送する。また、書き込むべきデータが所定速度以上で書き込む必要のないデータのとき、当該データをメモリ２２に記憶されたエリア情報に基づいて低速エリア３４に書き込むようにしてもよい。【選択図】        図１
2004297437.tif 000002
【特許請求の範囲】
【請求項１】
スキャナ装置と磁気ディスク装置とを用いる画像保存システムであって、
前記磁気ディスク装置について、画像データを所定速度以上で書き込み可能な第１エリアと前記画像データを前記所定速度以上で書き込み不可能な第２エリアとに関するエリア情報を記憶する記憶手段、および
前記スキャナ装置によるスキャニングが行われていないときに、前記第１エリアに書き込まれた画像データを前記記憶手段に記憶されたエリア情報に基づいて前記第２エリアに転送する手段を備える、画像保存システム。
【請求項２】
磁気ディスク装置を用いる画像保存システムであって、
前記磁気ディスク装置について、データを所定速度以上で書き込み可能な第１エリアと前記データを前記所定速度以上で書き込み不可能な第２エリアとに関するエリア情報を記憶する記憶手段、
書き込むべきデータが前記所定速度以上で書き込む必要があるデータか否かを判断する判断手段、および
前記データが前記所定速度以上で書き込む必要のないデータのとき前記データを前記記憶手段に記憶されたエリア情報に基づいて前記第２エリアに書き込む手段を備える、画像保存システム。
【請求項３】
スキャナ装置と磁気ディスク装置とを用いる画像保存方法であって、
前記磁気ディスク装置について、画像データを所定速度以上で書き込み可能な第１エリアと前記画像データを前記所定速度以上で書き込み不可能な第２エリアとに関するエリア情報を記憶手段に記憶しておき、
前記スキャナ装置によるスキャニングが行われていないときに、前記第１エリアに書き込まれた画像データを、前記記憶手段に記憶されたエリア情報に基づいて前記第２エリアに転送することを特徴とする、画像保存方法。
【請求項４】
磁気ディスク装置を用いる画像保存方法であって、
前記磁気ディスク装置について、データを所定速度以上で書き込み可能な第１エリアと前記データを前記所定速度以上で書き込み不可能な第２エリアとに関するエリア情報を記憶手段に記憶しておき、
書き込むべきデータが前記所定速度以上で書き込む必要があるデータか否かを判断し、
前記データが前記所定速度以上で書き込む必要のないデータのとき前記データを前記記憶手段に記憶されたエリア情報に基づいて前記第２エリアに書き込むようにしたことを特徴とする、画像保存方法。
【発明の詳細な説明】
【０００１】
【発明の属する技術分野】
この発明は画像保存システムおよび画像保存方法に関し、より特定的には、スキャニングによって得られた画像データをハードディスクドライブ（ＨＤＤ）に書き込む画像保存システムおよび画像保存方法に関する。
【０００２】
【従来の技術】
従来より、スキャニング画像の保存方法として、ハードディスクドライブ等の大容量の記録媒体に保存する方法がある。
【０００３】
【発明が解決しようとする課題】
しかし、ハードディスクドライブの内周側は、実力転送速度（書き込み速度）が遅いので、ハードディスクドライブに画像データを高速で保存するときには使用できないエリアとなる場合がある。
【０００４】
この対策として、ハードディスクドライブへのデータ転送速度を落とすことが考えられるが、これでは処理能力が低下する。また、必要以上に大容量のハードディスクドライブを使用することも考えられるが、これではコストが高くなる。
それゆえに、この発明の主たる目的は、処理能力を低下することなくコストを抑制して画像データを書き込むことができる、画像保存システムおよび画像保存方法を提供することである。
【０００５】
【課題を解決するための手段】
上述の目的を達成するために、請求項１に記載の画像保存システムは、スキャナ装置と磁気ディスク装置とを用いる画像保存システムであって、磁気ディスク装置について、画像データを所定速度以上で書き込み可能な第１エリアと画像データを所定速度以上で書き込み不可能な第２エリアとに関するエリア情報を記憶する記憶手段、およびスキャナ装置によるスキャニングが行われていないときに、第１エリアに書き込まれた画像データを記憶手段に記憶されたエリア情報に基づいて第２エリアに転送する手段を備える。
【０００６】
請求項２に記載の画像保存システムは、磁気ディスク装置を用いる画像保存システムであって、磁気ディスク装置について、データを所定速度以上で書き込み可能な第１エリアとデータを所定速度以上で書き込み不可能な第２エリアとに関するエリア情報を記憶する記憶手段、書き込むべきデータが所定速度以上で書き込む必要があるデータか否かを判断する判断手段、およびデータが所定速度以上で書き込む必要のないデータのときデータを記憶手段に記憶されたエリア情報に基づいて第２エリアに書き込む手段を備える。
【０００７】
請求項３に記載の画像保存方法は、スキャナ装置と磁気ディスク装置とを用いる画像保存方法であって、磁気ディスク装置について、画像データを所定速度以上で書き込み可能な第１エリアと画像データを所定速度以上で書き込み不可能な第２エリアとに関するエリア情報を記憶手段に記憶しておき、スキャナ装置によるスキャニングが行われていないときに、第１エリアに書き込まれた画像データを、記憶手段に記憶されたエリア情報に基づいて第２エリアに転送することを特徴とする。
【０００８】
請求項４に記載の画像保存方法は、磁気ディスク装置を用いる画像保存方法であって、磁気ディスク装置について、データを所定速度以上で書き込み可能な第１エリアとデータを所定速度以上で書き込み不可能な第２エリアとに関するエリア情報を記憶手段に記憶しておき、書き込むべきデータが所定速度以上で書き込む必要があるデータか否かを判断し、データが所定速度以上で書き込む必要のないデータのときデータを記憶手段に記憶されたエリア情報に基づいて第２エリアに書き込むようにしたことを特徴とする。
【０００９】
請求項１，３に係る発明では、スキャナ装置によるスキャニングが行われていないときに、第１エリアの画像データを記憶手段に記憶されたエリア情報に基づいて第２エリアに転送する。このように、スキャニングが行われていない空き時間にデータ転送するのでデータの処理能力は低下しない。また、第２エリアへのデータ転送により第１エリアの使用可能エリアを実質的に拡大できるので、磁気ディスク装置を有効利用でき、必要以上に大容量の磁気ディスク装置を用いる必要もなくコストを抑えることができる。
【００１０】
請求項２，４に係る発明では、書き込むべきデータが高速書き込みを要するデータか否かを判断し、高速書き込みを要しないデータであればエリア情報に基づいて第２エリアに書き込む。このように、データ書き込み時にデータの種類を判断して対応するエリアに書き込むので処理能力は低下しない。また、高速書き込みを要しないデータを最初から第２エリアに書き込むことによって、第１エリアを高速書き込みを要するデータ専用とすることができ第１エリアを実質的に拡大でき、磁気ディスク装置を有効利用できる。したがって、必要以上に大容量の磁気ディスク装置を用いる必要もなくコストを抑えることができる。
【００１１】
【発明の実施の形態】
以下、図面を参照して、この発明の実施形態について説明する。
図１を参照して、この発明の一実施形態の画像保存システム１０は、たとえば写真フィルムなどから画像を読み取るためのスキャナ装置１２と、スキャナ装置１２からの画像データに所定の処理を施すための画像処理部１４と、処理された画像データ等が入力されハードディスクドライブ１８を制御するためのハードディスクコントロール部１６と、ハードディスクコントロール部１６からのデータを保存するためのハードディスクドライブ１８と、スキャナ装置１２，画像処理部１４およびハードディスクコントロール部１６の動作を制御するためのＭＰＵ２０と、画像保存システム１０を動作させるためのプログラムやハードディスクドライブ１８に関する情報等を記憶するためのメモリ２２とを備える。
【００１２】
図２を参照して、ハードディスクドライブ１８は複数のディスク２４を備える。ディスク２４には多数の同心円状のトラック２６が形成される。トラック２６はさらに細かくセクタ２８に分割される。セクタ２８はデータをビット列として書き込む際の最小単位となる。セクタ２８を複数個まとめたものがクラスタ３０となる。
メモリ２２には、各クラスタ３０が高速エリア（第１エリア）か低速エリア（第２エリア）かを示すエリア情報等のディスク管理情報が記憶される。
【００１３】
ついで、画像保存システム１０において、ハードディスクドライブ１８の各クラスタ３０が高速エリアか否かを決定する処理について説明する。この処理は工場出荷前にメーカー側で行われても使用時にユーザ側で行われてもよい。
【００１４】
ディスク２４の各クラスタ３０が高速エリアか否かは、各クラスタ３０への実力転送速度が、ハードディスクコントロール部１６からハードディスクドライブ１８へのデータ転送速度（以下、「必要転送速度」という）以上か否かによって判断される。この判断は、全クラスタ３０に対して行われる。
【００１５】
実力転送速度が必要転送速度以上であれば、そのクラスタ３０は高速エリアと判断され、メモリ２２内の当該クラスタに関するエリア情報としてフラグが「１」に設定される。一方、実力転送速度が必要転送速度未満であれば、そのクラスタ３０は低速エリアと判断され、メモリ２２内の当該クラスタに関するエリア情報としてフラグが「０」に設定される。
【００１６】
ディスク２４の回転数を一定とすれば、外周側のクラスタ３０の方が、内周側のクラスタ３０よりも回転速度が大きくなるので書き込み速度すなわち実力転送速度が大きくなる。したがって、クラスタ３０について、外周側から内周側に向かって高速エリアか否かを判断していく場合には、通常、ディスク２４の内周側へ向かう途中で高速エリアから低速エリアに変わる位置を検出でき、たとえば図３に示すようにディスク２４の外周側に高速エリア３２が形成され、内周側に低速エリア３４が形成される。それに応じて、メモリ２２内に格納される、クラスタ３０毎のエリア情報としてのフラグが「１」（高速エリアの場合）か「０」（低速エリアの場合）かに設定される。
【００１７】
ディスク２４のエリア設定についてより具体的に説明する。
ハードディスクドライブ１８の各クラスタ３０への実力転送速度は、たとえば数１に示すようにして計算される。
【００１８】
【数１】
2004297437.tif 000003
【００１９】
数１より、実力転送速度は１クラスタ転送時間に応じて増減することがわかる。ここで、１クラスタ転送時間とは、１つのクラスタにデータを書き込むのに要するデータ書込時間をいい、ディスク回転数が一定の場合にはディスク２４上でのクラスタ３０の位置によって決定され、クラスタ３０がディスク２４の外側に位置するほど１クラスタ転送時間は短くなる。各クラスタ３０の１クラスタ転送時間はメモリ２２に格納されている。
【００２０】
具体例として、クラスタサイズが４１９４３０４バイト、フルストロークシーク時間が１８．７ｍｓ、シングルトラックシーク時間が２ｍｓ、トラックリトライ回数が５回、１回転シーク時間が８．３３ｍｓ、回転リトライ回数が１回とすると、必要転送速度が３０Ｍバイト／ｓの場合には、１クラスタ転送時間は０．１０２７秒以下の必要がある。すなわち、１クラスタ転送時間が０．１０２７秒以下であれば、そのクラスタ３０への実力転送速度は必要転送速度以上となる。
【００２１】
したがって、この例では、１クラスタ転送時間が０．１０２７秒以下のクラスタを高速エリア、１クラスタ転送時間が０．１０２７秒を超えるクラスタを低速エリアとする。
このようにして、必要転送速度に応じてディスク２４の書き込みエリアを高速エリアと低速エリアとに区分する。
【００２２】
そして、データの書込処理時には、ＭＰＵ２０は、上述のようにして決定されたメモリ２２内のエリア情報（フラグ）に基づいてハードディスクコントロール部１６を制御し、高速書き込みを要する画像データについてはハードディスクドライブ１８のディスク２４の高速エリア３２に書き込まれる。
【００２３】
その後、スキャナ装置１２によるスキャニングが行われていないときには、ＭＰＵ２０はメモリ２２に記憶されたエリア情報に基づいてハードディスクコントロール部１６を制御し、高速エリア３２に書き込まれた画像データは低速エリア３４に転送される。
【００２４】
このように画像保存システム１０では、高速エリア３２から低速エリア３４へのデータ転送をスキャニングが行われていない空き時間に行うのでデータの処理能力は低下しない。また、低速エリア３４へのデータ転送により高速エリア３２の使用可能エリアを実質的に拡大できるので、ハードディスクドライブ１８を有効利用でき、必要以上に大容量のハードディスクドライブを用いる必要もなくコストを抑えることができる。
【００２５】
また、画像保存システム１０において、ハードディスクドライブ１８へのデータの書き込みを次のように行ってもよい。
ハードディスクドライブ１８へ書き込むべきデータが、高速書き込み（必要転送速度以上での書き込み）が必要なデータか否かをＭＰＵ２０が判断する。画像データであれば高速書き込みが必要なデータと判断し、高速エリア３２に書き込む。画像データ以外の補正情報等のデータであれば高速書き込みが不要なデータと判断し、低速エリア３４に書き込む。このとき、ＭＰＵ２０はメモリ２２に記憶されたエリア情報に基づいてハードディスクコントロール部１６を制御し、各データが対応するエリアに書き込まれる。
【００２６】
このように、データ書き込み時にデータの種類を判断して対応するエリアに書き込むので、処理能力は低下しない。また、高速書き込みを要しない補正情報等のデータを最初から低速エリア３４に書き込むことによって、高速エリア３２を高速書き込みを要するデータ専用とすることができ高速エリア３２を実質的に拡大でき、ハードディスクドライブ１８を有効利用でき、必要以上に大容量のハードディスクドライブを用いる必要もなくコストを抑えることができる。
【００２７】
なお、上述の実施形態ではクラスタ単位で処理する場合について説明したが、これに限定されず、セクタ単位で処理するようにしてもよい。
【００２８】
【発明の効果】
この発明によれば、データの処理能力は低下せず、また、必要以上に大容量の磁気ディスク装置を用いる必要もなくコストを抑えることができる。
【図面の簡単な説明】
【図１】この発明の一実施形態を示すブロック図である。
【図２】ディスクを示す図解図である。
【図３】ディスクの高速エリアと低速エリアの一例を示す図解図である。
【符号の説明】
１０      画像保存システム
１２      スキャナ装置
１４      画像処理部
１６      ハードディスクコントロール部
１８      ハードディスクドライブ
２０      ＭＰＵ
２２      メモリ
２４      ディスク
２８      セクタ
３０      クラスタ
３２      高速エリア
３４      低速エリア
【図１】
2004297437.tif 000004
【図２】
2004297437.tif 000005
【図３】
2004297437.tif 000006